(57)【要約】【課題】手すりを固定するための複数のねじを一定の方向にかつスムーズに取り付けることができる手すりを提供する。【解決手段】凹部３０は、ねじ３を取付面１１に対して交差方向となるように凹部３０内に配したときにねじ３の全体を収容できる深さ寸法とされ、凹部内奥部にねじ３の尖端３ａの上下方向へのずれを規制した尖端係合部３１が形成され、尖端係合部３１の手前側に尖端係合部３１まで連続する傾斜状の上下ガイド面３５、３４が形成され、下ガイド面３４の手前側に水平な内底面３２が形成された形状とした手すり１とする。【選択図】図１
2016017371.tif 000002
【特許請求の範囲】
【請求項１】
一方の側面を壁面への取付面とし、他方の側面には、ねじの尖端を前記取付面より突出させて前記壁面にねじ込むための凹部を有した手すりであって、
前記凹部は、前記ねじを前記取付面に対して交差方向となるように前記凹部内に配したときに前記ねじの全体を収容できる深さ寸法とされ、凹部内奥部に前記ねじの尖端の上下方向へのずれを規制した尖端係合部が形成され、該尖端係合部の手前側に傾斜状の上下ガイド面が形成され、下ガイド面の手前側に平坦な内底面が形成された形状とされていることを特徴とする手すり。
【請求項２】
請求項１において、
前記上のガイド面の手前側に傾斜面が形成されて、前記凹部内奥部から前記凹部の開口に向けて前記凹部の上下間隔が徐々に大きくなっている、手すり。
【請求項３】
請求項１または２において、
前記凹部は手すりの長手方向に沿って溝状に形成されており、
前記凹部の前記内底面には、前記ねじの尖端が尖端係合部に係合され、前記ねじが前記取付面に対して垂直になるように前記凹部内に収容されたときにねじ頭が嵌入される溝が形成されている、手すり。
【発明の詳細な説明】
【技術分野】
【０００１】
本発明は、壁面に取り付けられる手すりに関する。
【背景技術】
【０００２】
従来には、一方の側面を壁面への取付面とし、その取付面を壁面に当接させた状態で、他方の側面側よりねじをねじ込んで壁面に取り付けるようにした手すりが種々提案されている。このような手すりには、ねじを適切な位置からねじ込みできるように、ねじ込みガイド用に凹部（手すりの長手方向の凹溝）が形成されているものもある。たとえば、特許文献１に記載された手すりには、手すりの長手方向に沿って溝状の凹部が形成されている。
【先行技術文献】
【特許文献】
【０００３】
【特許文献１】特開２００２−３４９０３７号公報
【発明の概要】
【発明が解決しようとする課題】
【０００４】
しかしながら、従来のこの種の手すりに設けられた凹部は、ねじのねじ込み位置の目安にはなるが、ねじを予定されている特定の方向（たとえば壁面に対して垂直）にねじ込むことをガイドすることはできない。よって、ねじの尖端が上下方向にずれて取付面以外の面から突出するなどのねじ込みミスが発生するおそれがある。特に、厚さの薄い手すりや上下２段にねじ止めするものでは、ねじ込み方向が定まらなければそのようなミスは発生しやすい。したがって、上記のような手すりでは、ねじ込みミスを防止するためにねじ込み方向を定められる治具を用いる必要があった。
【０００５】
本発明は、このような事情を考慮して提案したもので、その目的は、手すりを固定するためのねじを、予定されている特定のねじ込み方向に、すくなくとも上下方向にぶれないようにスムーズにねじ込むことができる手すりを提供することにある。
【課題を解決するための手段】
【０００６】
上記目的を達成するために、本発明の手すりは、一方の側面を壁面への取付面とし、他方の側面には、ねじの尖端を取付面より突出させて壁面にねじ込むための凹部を有した手すりであって、凹部は、ねじを取付面に対して略垂直になるように凹部内に配したときにねじの全体を収容できる深さ寸法とされ、凹部内奥部にねじの尖端の上下方向へのずれを規制した尖端係合部が形成され、尖端係合部の手前側に尖端係合部まで連続する傾斜状の上下ガイド面が形成され、下ガイド面の手前側に平坦な内底面が形成された形状とされていることを特徴とする。
【発明の効果】
【０００７】
本発明の手すりによれば、上述の構成となっているため、手すりを固定するためのねじを、予定されている特定のねじ込み方向にスムーズに狙いを定めて、すくなくとも上下方向にぶれないように効率よくねじ込むことができる。
【図面の簡単な説明】
【０００８】
【図１】本発明の一実施形態に係る手すりの説明図である。（ａ）は手すりの部分斜視図、（ｂ）同縦断面図である。
【図２】手すりの凹部の説明図である。（ａ）は要部拡大断面図、（ｂ）はねじが凹部内の所定位置に収容された状態を示す要部拡大断面図、（ｃ）は（ａ）のＸ部の他例を示す、さらに拡大した部分縦断面図である。
【図３】（ａ）、（ｂ）はねじの凹部内への挿入態様例を示す手すりの要部拡大断面図である。
【図４】手すりの凹部部分の横断面図である。
【発明を実施するための形態】
【０００９】
以下に、本発明の実施の形態に係る手すりについて、添付図面にもとづいて説明する。まず、本実施形態の手すりの基本概略構成について説明する。
【００１０】
以下に説明する手すり１（手すり本体１０）は、一方の側面を壁面９への取付面１１とし、他方の側面には、ねじ３の尖端３ａを取付面１１より突出させて壁面９にねじ込むための凹部３０が形成してある（図１参照）。
【００１１】
この凹部３０は、ねじ９を取付面１１に対して交差方向となるように凹部３０内に配したときにねじ３の全体を収容できる深さ寸法とされる。凹部３０の凹部内奥部には、ねじ３の尖端３ａの上下方向へのずれを規制した尖端係合部３１が形成され、尖端係合部３１の手前側に傾斜状の上ガイド面３５と下ガイド面３４とが形成されている。さらに、下ガイド面３４の手前側には平坦な内底面３２が形成されている。
【００１２】
ついで、この手すり１について、図１〜図４にもとづいて詳細に説明する。
【００１３】
この手すり１は、建物内の居室や廊下において略水平（床面に略平行）となるように、あるいは階段の手すりとして階段の傾斜に略平行となるように、壁面９に取り付けられる。ここで壁面９は床面（不図示）に対して略垂直とされる。
【００１４】
手すり１の主たる構成部材である手すり本体１０は棒状体であり、アルミ押出成形にて形成されている。手すり本体１０は、幅方向の一方の側面を壁面９へ当接させて取り付けられる平坦な取付面１１（後面）とされ、他方の側面を居室等への露出面（前面）とされる。手すり本体１０の上部の前面側には上方に突出した手掛部１２が形成してある。また、手すり本体１０の下面１３は平坦面となっている。この下面１３は取付面１１に対して略垂直な面となっている。
【００１５】
手すり本体１０の前面には、長手方向に沿って溝状の凹所２０が形成してあり、その凹所２０内には断面が相互に同形状の２段の凹部３０、３０が形成してある。この２段の凹部３０、３０はそれぞれの開口３７、３７が凹所２０内で連通している。凹所２０自体の開口２１には、手すり本体１０をねじ止めしたのちに蓋２３が取り付けられるようになっている。また、手すり本体１０の長手方向の端部には、エンドキャップ（不図示）が取り付けられるようになっている。
【００１６】
２つの凹部３０、３０はいずれも、前面から取付面１１に向かう方向に、下面１３にほぼ平行となるように形成されており、図１（ｂ）に示すように、凹部内奥部に向けて先細形状の横穴空間となっている。凹部３０の内底面３２は後述する溝３６を除き平坦面とされる。なお、本実施形態の内底面３２は水平面となっている。
【００１７】
手すり本体１０は、凹部３０の長手方向の適所において、ねじ３が凹部内奥部に向けて挿入され（図４参照）、ねじ込まれてねじ３の軸部３ｃが凹部内奥部の後方部を貫通し、取付面１１を突き破り、壁面９にねじ込まれて、壁面９に固定されるようになっている。
【００１８】
つぎに、凹部３０の詳細な形状について、図２にもとづいて説明する。
【００１９】
凹部内奥部には、挿入されるねじ３の尖端３ａが係合される尖端係合部３１が形成してある。本実施形態の手すり１では、この尖端係合部３１は、上下の傾斜面によって形成された、断面がＶ字状の尖端凹部の尖端部により構成されている。ねじ３の尖端３ａが尖端係合部３１に当接（係合）すれば、その後は、ねじ３の尖端３ａは上下の傾斜面によって上下への移動が規制される。
【００２０】
また、尖端係合部３１として、このようなＶ字尖端のものに代えて、図２（ｄ）に示すように、凹部内奥部にねじ３のコーン部が嵌入する嵌入溝穴を設けてもよい。図例のように、ねじ３のコーン部を嵌入溝穴に嵌入したときに上下方向に隙間ができないようにすれば、上下方向のずれを防止することができる。
【００２１】
また、尖端凹部に形成された上下の傾斜面は、尖端係合部３１を形成することを目的として形成されているだけではなく、ねじ３の尖端３ａを尖端係合部３１に到達させやすくするための上下ガイド面３５、３４でもある。たとえば図３（ａ）、（ｂ）に示すように、ねじ３が凹部３０内に種々の角度で挿入されてきたときに、尖端３ａが上ガイド面３５または下ガイド面３４に当たり、その面を尖端３ａが滑るようにして尖端係合部３１に到達する。
【００２２】
また、下ガイド面３４の手前（前面）側には、上述したように、手すり本体１０を水平状態にしたときに水平となる内底面３２が形成されている。一方、上ガイド面３５の手前（前面）側には開口３７側に向けて上り傾斜した天井面３３が形成されており、凹部内奥部から凹部３０の開口３７に向けて凹部３０空間の上下間隔が徐々に大きくなっている。
【００２３】
このように、凹部３０の空間の断面形状が先細の形状となっているため、ねじ３を凹部３０内に挿入しやすいし、凹部内奥部も先細（Ｖ字状）となっているため、ねじ３の尖端３ａを尖端係合部３１に到達させやすい。
【００２４】
なお、本実施形態のものは天井面３３が開口３７が上方向に広がるように前面側に向けて上り傾斜しているので、その天井面３３自体が上ガイド面３５となり得る。つまり、天井面３３、上ガイド面３５間で傾斜角度を異ならせなくてもよい。
【００２５】
また、内底面３２の開口３７に近い位置には、手すり本体１０の長手方向に沿った断面Ｖ字状の溝３６が形成されている。この溝３６は、図２（ｂ）および図４に示すように、ねじ３の尖端３ａが尖端係合部３１に係合され、取付面１１に対して垂直になるように凹部３０内に収容したときにねじ頭３ｂが嵌入される、手すり本体１０の長手方向に沿って形成された直線状の浅溝である。
【００２６】
ねじ３を、図２（ｂ）に示したように、尖端３ａが尖端係合部３１に係合された状態で凹部３０内に載置すれば、図４に示すように横断面視において、ねじ３は壁面９に対して垂直な状態となる。つまり、凹部内奥部から溝３６までの長さは、手すり１の取り付けに用いられるねじ３の長さに合致している。
【００２７】
こうしてねじ３の尖端３ａが尖端係合部３１に係合され、ねじ頭３ｂが溝３６に嵌入された状態では、ねじ３の軸部３ｃが略水平となり、かつねじ３は壁面９に対して略垂直に配された状態に維持される。なお、厳密には、ねじ頭３ｂが溝３６に嵌入されているので、ねじ頭３ｂ側がわずかに下がった傾斜状態となる。
【００２８】
ようするに、この溝３６は、ねじ３の尖端３ａが尖端係合部３１に係合され、ねじ３が取付面１１に対して垂直になるように凹部３０内に収容されたときに、ねじ頭３ｂが嵌入されるように、手すり１の凹部３０の内底面３２に形成されたものである。
【００２９】
このように、尖端３ａが尖端係合部３１に係合されて上下にぶれないようにねじ３を配置できるので、図２（ｃ）に示すようにねじ頭３ｂを内底面３２に摺らせるようにねじ込めば、ねじ３を壁面９に対して垂直な方向にぶれなくねじ込むことができる。
【００３０】
以上に説明したように、この手すり１は凹部３０内に尖端係合部３１を有しているため、ねじ止めする際にねじ３の尖端３ａが上下にぶれにくい。そしてさらに、そのような係合状態でねじ頭３ｂを嵌入する溝３６が形成してあるため、ねじ３を正しい位置に配置でき、横方向へのずれを防止することができる。
【００３１】
また、ねじ止めする際にねじ３が上下にぶれにくい構成となっているため、本実施形態の手すり１のように、上下２段の凹部３０、３０の上下間隔が小さいものであっても、ねじ３が交錯（接触、近接）するようなねじ込みミスは発生しにくい。さらに、ねじ３の尖端３ａが上下方向にぶれることなく所定の方向にねじ込みできるので、尖端３ａが取付面１１以外の面から突出するようなねじ込みミスも発生するおそれもない。２本のねじ３を横方向に近接させてねじ止めする場合も同様に、そのようなねじ込みミスは発生しにくい。
【００３２】
また、凹部３０には、ねじ３の尖端３ａを尖端係合部３１にガイドする上ガイド面３５および下ガイド面３４が形成されているため、ねじ３の尖端３ａを尖端係合部３１に到達させやすく、適切な方向へのねじ止めをスムーズに行うことができる。
【００３３】
このように、ねじ３の略垂直なねじ込みをできるように準備できる構成となっているため、手すり本体１０の長手方向のどの位置においても（図４参照）、また上下両凹部３０、３０のいずれにおいても、ねじ３を壁面９に対して略垂直にねじ込むことができる。つまり、ねじ３を図４の２点鎖線で示したような位置に誤って配置することを防止することができる。また、そのような斜め位置でねじ止めしなくてもよいため、ドライバーや電動ドライバーが使いやすい効率的なねじ止め作業を行うことができる。
【００３４】
さらに、本実施形態の手すり１は凹部３０の内底面が水平面となっているため、手すり１を水平に取り付ける場合には内底面は水平に維持され、凹部３０内にセッティングしたねじ３はずれ動きにくく、作業をスムーズに行うことができる。
【００３５】
また、複数のねじ３についてねじ込み方向を一定方向（本実施形態のものでは壁面９に対して垂直な方向）とすることができる構成であるため、複数のねじ止め位置間で手すり１の取り付け強度のばらつきが生じにくい。
【００３６】
また、この手すり本体１０を階段の壁面に傾斜状態に取り付ける場合には、内底面３２も傾斜面となるが、ねじ頭３ｂを溝３６にしっかりと嵌入させておけば、凹部３０内でねじ３を仮保持することができるので、手離し状態でもねじ込み方向がずれにくく、迅速で効率的なねじ止めをすることができる。
【００３７】
以上のように、本実施形態の手すり１のように凹部３０が溝状に形成されているものであっても、ねじ込み方向を予定されている特定の方向に定めることができる。凹部３０が溝状であるため、手すり本体１０を押出成形にて形成することができ、その結果、手すり本体１０を簡易に低コストで製造することができる。
【００３８】
また、上述したように凹部３０の内底面３２は平坦面であればよく、水平面でなくてもよい。たとえば、手すり本体１０が前面側に上り傾斜した形状であれば、その形状に合わせて凹部３０の内底面３２が奥方に向けて下り傾斜したものであってもよい。また、内底面３２が奥方に向けて上り傾斜であってもよいが、その場合にはねじ３の滑り落ちを防止するために、ねじ頭３ｂを嵌入できる溝３６が形成されていることが望ましい。
【符号の説明】
【００３９】
１          手すり
３          ねじ
３ａ        尖端
３ｂ        ねじ頭
９          壁面
１０        手すり本体
１１        取付面
３０        凹部
３１        尖端係合部
３２        内底面
３３        天井面
３４        下ガイド面
３５        上ガイド面
３６        溝
【図１】
2016017371.tif 000003
【図２】
2016017371.tif 000004
【図３】
2016017371.tif 000005
【図４】
2016017371.tif 000006